(57)【要約】【課題】水中において、自重によるケーブルの切断を防ぐ水中ケーブルを提供する。【解決手段】水中ケーブル１は複数の浮力体２をロープや鎖などの連結材３で繋いだものであり、またこの水中ケーブル１の最下部には引っ掛け具４を備えて構成している。水面６上の母船８は、水面６下にある探査機などの被支持物５を、水中ケーブル１により吊っている。ここで、水中ケーブル１を構成するユニットである浮力体２の自重（空中重量）とその浮力を釣り合わせることによって、水中ケーブル１全体の水中での重量をゼロとすることが可能である。従って、連結する浮力体２の数に関係なく、水中ケーブルには重量的負荷がかからない。【選択図】      図１
2005008098.tif 000002
【特許請求の範囲】
【請求項１】
水中の被支持物を吊る水中ケーブルであって、密閉状態とした中空円筒状の浮力体を複数連結してなり、水中における前記浮力体の自重とその浮力を釣り合わせたことを特徴とする水中ケーブル。
【請求項２】
前記浮力体の内部空洞に、１個または複数の仕切りを備えることを特徴とした請求項１に記載の水中ケーブル。
【請求項３】
前記浮力体の材料をチタン又はアルミチタン合金としたことを特徴とする請求項１又は請求項２に記載の水中ケーブル。
【請求項４】
水中の被支持物を吊る水中ケーブルであって、発泡状金属部材を内包した円筒状の浮力体を複数連結してなり、水中における前記浮力体の自重とその浮力を釣り合わせたことを特徴とする水中ケーブル。
【請求項５】
前記浮力体の材料が発泡状チタン又は発泡状アルミチタン合金であることを特徴とした請求項４に記載の水中ケーブル。
【発明の詳細な説明】
【０００１】
【発明が属する技術分野】本発明は、水中（海中含む）に施設されたケーブルなどの被支持物を水中で吊る水中ケーブルに関する。
【０００２】
【従来の技術】
海中の調査などの目的で海中調査機などを使用する場合には、海上の母船から調査機のコントロールなどを行うために、ケーブルにより調査機を吊る方法がある。この方法で深度の深い海中の調査を行う場合には、母船から調査機を吊る非常に長いケーブルを使用することが必要である。しかしながら、この場合ケーブルが非常に長いことにより水中のケーブル自体の重さが大きなものとなり、ケーブル自体にかかる重量的負荷によるケーブルの破損や切断といった障害が発生することがあった。特にケーブルの水中の深度の浅い位置ほど、それ以下のすべてのケーブルの重量がかかることとなり、ケーブル自体にかかる重量的負荷（張力）はより大きなものとなりケーブルの破損や切断がより多く発生するという問題があった。
【０００３】
【特許文献１】
特開平０５―３１６６２９
【０００４】
【発明が解決しようとする課題】
本発明は水中において、自重によるケーブルの切断を防ぐ水中ケーブルを提供することを目的とする。
【０００５】
【課題を解決するための手段】
上記の目的を達成するため本発明における水中ケーブルは、密閉状態とした中空円筒状の浮力体を複数連結してなり、水中における前記浮力体の自重とその浮力を釣り合わせ、前記浮力体の内部空洞に１個または複数の仕切りを備え、さらに前記浮力体の材料をチタン又はアルミチタン合金とする。また発泡状の金属部材を内包した円筒状の浮力体を複数連結してなり、水中における前記浮力体の自重とその浮力を釣り合わせ、前記浮力体の材料を発泡状チタン又は発泡状アルミチタン合金とする。
【０００６】
【発明の実施の形態】
以下、図面を参照して本発明の実施の形態に基づいて説明する。
【０００７】
図１は、本発明の一実施例を示す図である。水中ケーブル１は複数の浮力体２をロープや鎖、リングなどの連結材３で繋いだものであり、またこの水中ケーブル１の最下部には引っ掛け具４を備えて構成している。水面６上の母船８は、水面６下にある探査機などの被支持物５を、水中ケーブル１により吊っている。
【０００８】
ここで、水中ケーブル１を構成するユニットである浮力体２の自重（空中重量）とその浮力を釣り合わせることによって、水中ケーブル１全体の水中での重量をゼロとすることが可能である。従って、連結する浮力体２の数に関係なく、水中ケーブルには重量的負荷がかからない。
【０００９】
参考までに水中でのケーブル重量Ｗ１は、以下の式により算出することができる。
水中での水圧下重量（Ｗ１）は
Ｗ１＝Ｗ−ρ×Ｖ
Ｖ：水圧下でのケーブル体積（ｃｍ３）
Ｗ：ケーブルの空中重量（ｇ／ｍ）
Ｗ１：ケーブル水中重量（ｇ／ｍ）
ρ：水の比重
【００１０】
従って、水中ケーブル１の浮力ρ×Ｖとケーブルの空中重量Ｗとを釣り合わせるように１個の浮力体２の要素（体積、重量）を決定する。本発明では、水圧下での体積変化を生じない高耐圧材料により浮力体２を形成しているため、体積変化は無視できる。
【００１１】
以上のように、水中ケーブル１を自重と浮力の釣り合いをとるように構成することにより、水中ケーブル１の自重に起因する水中ケーブル１自身への負荷を消失させることができ、被支持物５を吊る水中ケーブル１が切断されるといった障害を避けることができる。尚、連結材３の自重については、浮力体２の自重に含めて考慮することが好適である。
【００１２】
図２は、図１の水中ケーブル１を構成する浮力体２の断面の一例を示す図であり、円筒状の浮力体２は中空となっている内部空洞１０への水の侵入を外殻部９により防ぐと共に、内部空洞１０に注入されている例えば液体または気体などが浮力体２外部へ流出することを防ぐ。また外殻部９の素材としてアルミチタン合金又はチタンを使用することにより軽量で強度が高い浮力体２を得ることができる。尚、材料については軽量かつ強度を確保できるものであればよい。
【００１３】
図３は、図１の水中ケーブル１を構成する浮力体２の断面の他の例を示す図であり、円筒状の浮力体１は外殻部９とこれを支える仕切り１１により構成される。この仕切り１１と外殻部９は結合されており、外殻部９は仕切り１１により支持されることにより外殻部９が水中で受ける圧力に対する強度をさらに高めることができる。ここで仕切り１１の数は多いほど外殻部９が水中で受ける圧力に対する強度を高くすることが可能である。
【００１４】
図４は、円筒状の外殻部９を有する浮力体２が発泡状の金属部材１２を内包している場合の断面図である。発泡状の金属部材１２は、金属中に無数の気泡を均一に分散させた多孔質材料の一種であり、その発泡状の金属部材１２に例えばアルミチタン合金を用いればさらに軽量かつ耐圧性に優れた浮力体２を提供することができる。また発泡状の金属部材１２にはアルミチタン合金の代わりにチタンを使用してもよい。図４の例は、図２及び図３の例より耐圧性に優れているため、外殻部９をより薄くしてもよい。
【００１５】
図５は、前記水中ケーブル１の水深の深い位置にある浮力体２を前記発泡状の金属部材１２を内包したものとしており、例として最深部から所定の数の浮力体２を発泡状の金属部材１２を内包したものとして、その他の浮力体２は例えば中空円筒状のものとした場合である。ここで発泡状の金属部材１２を内包した浮力体２の数は使用する深さにおける水圧を考慮し変更することが可能である。このような構成にすることにより、軽量で水中の深い位置でも耐圧性を確保することができるので、より深い位置で被支持物５を吊ることが可能な水中ケーブル１提供することができる。
【００１６】
【発明の効果】
以上のように、中に水が入らないように密閉状態とした中空円筒状の複数の浮力体を連結材で繋ぎその下端部に引っ掛け具を接続した水中ケーブルを構成し、さらにこの浮力体の自重と浮力を釣り合わせるように構成することにより、水中ケーブルの自重に起因する自身への負荷を消失させることができ、水中の被支持物を吊る水中ケーブルが切断されるといった障害を避けることができる。
【００１７】
また円筒状の浮力体の内部空洞を１個または複数の仕切りを備える構造とすることにより、水圧に対する強度を高めた水中ケーブルを提供することができる。
【００１８】
さらに円筒状の浮力体の材料にアルミチタン合金又はチタンを使用することで、より水圧に対する強度を高めた水中ケーブルを提供することができる。
【００１９】
また浮力体の内包する材料を発泡状アルミチタン合金又は発泡状チタンとすることにより、軽量で耐圧性の高い水中ケーブルを提供することができる。
【図面の簡単な説明】
【図１】本発明による水中ケーブルの一例を示す図である。
【図２】水中ケーブルを構成する浮力体の断面の一例を示す図である。
【図３】水中ケーブルを構成する浮力体の断面の他の例を示す図である。
【図４】浮力体が発泡状の金属部材を内包している例を示す図である。
【図５】水中ケーブルの水深の深い位置にある浮力体が発泡状の金属部材を内包したものである例を示す図である。
【符号の説明】
１    水中ケーブル
２    浮力体
３    連結材
４    引っ掛け具
５    被支持物
６    水面
７    海底
８    母船
９    外殻部
１０  内部空洞
１１  仕切り
１２  発泡状の金属部材
【図１】
2005008098.tif 000003
【図２】
2005008098.tif 000004
【図３】
2005008098.tif 000005
【図４】
2005008098.tif 000006
【図５】
2005008098.tif 000007